(57)【要約】      （修正有）【課題】ＵＲＬによりアクセス可能なドキュメントに対するＵＲＬ印刷を行う際の印刷設定のユーザビリティを向上させる。【解決手段】ＵＲＬ印刷を行うための機能ボタン（ＵＲＬ印刷ボタン）５０４，５０５にＵＲＬと印刷設定情報を関連付けて保存しておき、画像形成装置の表示部に表示させることにより、ユーザは、表示中の機能ボタン５０４，５０５を押下するだけで、対象のドキュメントに適合した印刷設定で印刷することができる画像形成装置を提供する。【選択図】図５
2017148978.tif 000002
【特許請求の範囲】
【請求項１】
外部からのデータの取得を可能にするアクセス情報と当該データに対して行う画像形成の設定情報とが関連付けられている機能画像の識別情報を保持する保持手段と、
前記識別情報により特定される前記機能画像を所定の操作画面に表示する表示手段と、
表示中の前記機能画像に対する操作を受け付ける操作受付手段と、
前記操作の受付を契機に当該機能画像に関連付けられている前記アクセス情報を用いて前記データを取得するデータ取得手段と、
取得したデータに対して前記設定情報に従って画像形成を行う画像形成手段と、
を備えたことを特徴とする画像形成装置。
【請求項２】
前記アクセス情報がＷｅｂページのＵＲＬであることを特徴とする、
請求項１に記載の画像形成装置。
【請求項３】
前記Ｗｅｂページが特定のブラウザを通じて閲覧可能なページであり、
前記アクセス情報は、前記特定のブラウザを搭載した外部装置を通じてアクセス可能なＵＲＬであることを特徴とする、
請求項２に記載の画像形成装置。
【請求項４】
前記機能画像を登録する登録手段を有する外部装置と通信を行う通信手段を備えており、
前記表示手段は、前記外部装置から受領した機能画像を表示することを特徴とする、
請求項１、２又は３に記載の画像形成装置。
【請求項５】
前記機能画像を登録する登録手段を備えており、
前記データ取得手段は、登録された機能画像に関連付けられている前記アクセス情報を通じて前記データを取得することを特徴とする、
請求項１、２又は３に記載の画像形成装置。
【請求項６】
前記画像形成手段は、前記データ取得手段で取得したデータを印刷する印刷機構を備えており、
前記画像形成の設定情報は取得したデータに対する印刷設定情報であり、
前記登録手段は、前記印刷設定情報を前記機能画像と関連付けて登録することを特徴とする、
請求項４又は５に記載の画像形成装置。
【請求項７】
前記印刷機構は、前記印刷設定情報が登録されている場合は当該印刷設定情報に従って前記取得したデータを印刷し、前記印刷設定情報が登録されていない場合はデフォルトの印刷設定情報に従って当該データを印刷することを特徴とする、
請求項６に記載の画像形成装置。
【請求項８】
操作パネルを有する画像形成装置との間で通信を行う通信手段と、
外部からのデータの取得を可能にするアクセス情報と当該データに対して行う画像形成の設定情報とを機能画像の識別情報と関連付けて登録する登録手段と、
登録した前記機能画像を前記画像形成装置に伝達して前記操作パネルに表示させる画像処理手段と、
を備えたことを特徴とする情報処理装置。
【請求項９】
前記アクセス情報がＷｅｂページのＵＲＬであることを特徴とする、
請求項８に記載の情報処理装置。  
【請求項１０】
前記Ｗｅｂページを閲覧可能なブラウザを有し、
前記ブラウザが前記画像形成装置に代わって前記データを取得することを特徴とする、
請求項９に記載の情報処理装置。
【請求項１１】
操作パネルを有する画像形成装置が実行する方法であって、
所定のブラウザを通じて閲覧可能なＷｅｂページのデータに到達するためのＵＲＬと当該データに対して行う画像形成の設定情報とを機能画像と関連付けて保持し、
前記機能画像を前記操作パネルに表示するとともに、
表示中の前記機能画像に対する操作を受け付け、該機能画像に関連付けられている前記アクセス情報を参照して前記データを取得し、
取得したデータに対して前記設定情報に従って画像形成を行うことを特徴とする
画像形成方法。
【請求項１２】
コンピュータを請求項１ないし７のいずれか一項に記載された画像形成装置として機能させるコンピュータプログラム。
【請求項１３】
コンピュータを請求項８ないし１０のいずれか一項に記載された情報処理装置として機能させるコンピュータプログラム。
【発明の詳細な説明】
【技術分野】
【０００１】
本発明は、印刷や読み取り等の画像処理機能を有する画像処理装置、画像処理を行わせるジョブを出力する情報処理装置、画像処理システム、およびプログラムに関する。さらに詳細には、画像処理装置と情報処理装置との間でデータ通信を行ってジョブを実行する技術に関するものである。
【背景技術】
【０００２】
近年、インターネット上のＷｅｂページを印刷したいというユーザの需要が高まっている。その場合、Ｗｅｂページにアクセス可能なパーソナルコンピュータ（ＰＣ）等の情報処理装置からＷｅｂページの印刷データをプリンタ等の画像形成装置に印刷を指示するのが一般的である。ただし、Ｗｅｂページによっては、印刷するために高機能なブラウザが必要となり、それが無いと印刷できないことがある。そのため、画像形成装置とインターネットの間に、ブラウザ機能を持つサーバを設けることで、情報処理装置からの指示に従い、画像形成装置が、インターネットにつながるサーバ経由でＷｅｂページを取得し、印刷出力するものがある（特許文献１）。
【先行技術文献】
【特許文献】
【０００３】
【特許文献１】特開２００１−２２８９８７号公報
【発明の概要】
【発明が解決しようとする課題】
【０００４】
特許文献１に開示された技術では、ユーザがＷｅｂページを印刷する際に、当該ＷｅｂページのＵＲＬ（Universal Resource Locator）を、その都度入力する必要がある。また、Ｗｅｂページごとに印刷設定を変えたいときはその都度印刷設定を変更する必要がある。このように、特許文献１においては、ユーザビリティ上の課題が残る。
本発明は、ユーザビリティの問題を解決する技術の提供を主たる課題とするものである。
【課題を解決するための手段】
【０００５】
本発明を適用した実施の一態様では、外部からのデータの取得を可能にするアクセス情報と当該データに対して行う画像形成の設定情報とが関連付けられている機能画像の識別情報を保持する保持手段と、前記識別情報により特定される前記機能画像を所定の操作画面に表示する表示手段と、表示中の前記機能画像に対する操作を受け付ける操作受付手段と、前記操作の受付を契機に当該機能画像に関連付けられている前記アクセス情報を用いて前記データを取得するデータ取得手段と、取得したデータに対して前記設定情報に従って画像形成を行う画像形成手段と、を備えたことを特徴とする画像形成装置が得られる。
【発明の効果】
【０００６】
上記画像形成装置では、機能画像にアクセス情報と画像形成の設定情報とが関連付けられているので、画像形成の手順が簡略化され、ユーザビリティが向上するという格別の効果を奏することができる。
【図面の簡単な説明】
【０００７】
【図１】第１実施形態にかかる画像処理システムのハードウエア構成図。
【図２】ＭＦＰの機能構成図。
【図３】ＰＣの機能構成図。
【図４】ＵＲＬ印刷ボタンの登録画面の例示図。
【図５】ホーム画面に登録されたＵＲＬ印刷ボタンの例示図。
【図６】インデックステーブルの例示図。
【図７】対応テーブルの例示図。
【図８】登録部によるＵＲＬ印刷ボタンの登録処理の処理手順説明図。
【図９】ＭＦＰによるＵＲＬ印刷の処理手順説明図。
【発明を実施するための形態】
【０００８】
以下、図面を参照して本発明の実施の形態を説明する。
［第１実施形態］
図１は、第１実施形態に係る画像処理システムの全体構成図である。画像処理システム１は、画像形成装置の一例となる複合機（ＭＦＰ：Multi Function Peripheral）１０と、情報処理装置の一例となるＰＣ（Personal Computer）２０とを含んで構成される。ＭＦＰ１０は、スキャン機能、印刷機能、ファクス機能を基本機能として有する。ＰＣ２０は、ＭＦＰ１０にスキャン、印刷、ファクスなどのジョブを実行させる機能を有する。ＭＦＰ１０とＰＣ２０とは無線通信により接続されており、それぞれ自己からみて他方が外部装置となる。
【０００９】
ＭＦＰ１０は、図１に示すように、システムバスＢ１に相互接続されたＣＰＵ１１、ＲＡＭ１２、ＲＯＭ１３を含むコンピュータをハードウエア資源として備えている。ＣＰＵ（Central Processing Unit）１１は、所定のコンピュータプログラムを実行することにより、ＭＦＰ１０の構成要素の制御を行う。ＲＡＭ（Random Access Memory）１２は、揮発性のメモリであり、ＣＰＵ１１の主メモリ、ワークエリア等の一時記憶領域として用いられる。ＲＯＭ（Read Only Memory）１３は、不揮発性のメモリである。ＲＯＭ１３には、上記コンピュータプログラム、その起動、実行を可能にするためのユーティリティプログラム、制御データ、読み出し専用の初期データなどが記憶されている。なお、ＣＰＵ１１が実行するコンピュータプログラムは、ＲＯＭ１３に限らず、外部メモリ（ハードディスク等）に予め記憶しておいてもよい。
【００１０】
システムバスＢ１には、操作パネル１４、印刷部１５、読取部１６、ＦＡＸ−Ｉ／Ｆ１７、無線ＬＡＮ−Ｉ／Ｆ１８、有線ＬＡＮ−Ｉ／Ｆ１９も接続されている。Ｉ／Ｆはインターフェースの略である。操作パネル１４はタッチパネルを搭載し、ユーザに対してメッセージや設定内容を表示するための画面を表示させる。また、この画面を通じてユーザ入力を受け付ける。画面には機能画像が表示される。これについては後述する。印刷部１５は画像形成の一例として所定の用紙に画像を印刷する印刷機構である。読取部１６は図示しない原稿台に置かれた原稿の画像を読み取る（スキャンする）読取機構である。ＦＡＸ−Ｉ／Ｆ１７は、不図示のファクシミリ装置と公衆回線を介して通信可能にするＩ／Ｆである。ファクシミリ装置も印刷部１５と同様、画像形成する機能を有する。無線ＬＡＮ−Ｉ／Ｆ１８は、例えばＩＥＥＥ８０２．１１の国際標準規格およびそれに準ずる規格に基づいて、ＰＣ２０を含む外部装置との間での無線通信を可能にするＩ／Ｆである。有線ＬＡＮ−Ｉ／Ｆ１９は、外部装置との間での有線通信を可能にするＩ／Ｆである。
【００１１】
次に、ＰＣ２０のハードウエア構成について説明する。ＰＣ２０は、システムバスＢ２を接続されたＣＰＵ２１、ＲＡＭ２２、ＲＯＭ２３、ストレージ２６を含むコンピュータをハードウエア資源として備えている。ＰＣ２０は、表示機能と入力機能とを兼ねるタッチパネル方式の操作パネル２４と、外部装置との通信を可能にする通信Ｉ／Ｆとして無線ＬＡＮ−Ｉ／Ｆ２５とを備えている。ストレージ２６には、ＣＰＵ２１が実行可能なＯＳ（Operating System）、インターネット上のファイルを閲覧するためのブラウザ、各種のデバイスを制御するデバイスドライバ等が組み込まれている。また、ＰＣ２０内に記憶されているデータをＭＦＰ１０にプリント、ファックス、Ｅメールをさせるためのアプリケーションプログラムもストレージ２６に記憶されている。このようなアプリケーションプログラムはＯＳ上で動作するものであり、以後、「ＭＦＰアプリ」と呼ぶ。ＭＦＰアプリは、ＭＦＰ１０が生成するＨＴＭＬコンテンツをストレージ２６に保存し、ブラウザによって表示されるようにしてもよい。
【００１２】
次に、ＭＦＰ１０及びＰＣ２０に形成される機能ブロックについて説明する。図２は、ＭＦＰ１０に形成される機能ブロック構成図であり、基本機能以外の部分を例示してある。本実施形態では、ＭＦＰ１０のＣＰＵ１１がＲＡＭ１２又はＲＯＭ１３に記憶されたコンピュータプログラムを実行することにより、ＭＦＰ１０に主制御部１０１、ＵＩ部品保持部１０２、設定テーブル１０３、通信制御部１０４、画像形成部１０５の機能を形成する。
なお、表示部１４１は操作パネル１４におけるディスプレイであり、表示手段として機能する。操作受付部１４２は操作パネル１４における公知のタッチスクリーンであり、操作受付手段として機能する。本実施形態では、それぞれ識別情報により特定される１つ又は複数の機能画像を表示部１４１に表示させる。また、表示中の機能画像に対するユーザの操作を操作受付部１４２で受け付ける。
【００１３】
機能画像は、外部からのデータの取得を可能にするアクセス情報と当該データに対して行う画像形成の設定情報とが関連付けられている画像である。ボタン状の画像の場合、特にこれを機能ボタンと呼ぶ。機能ボタンは表示部１４１に表示されるＵＩ（UserIinterface）部品の一種である。機能ボタンはＰＣ２０で作成ないし編集され、ＭＦＰ１０に伝達される。ＭＦＰ１０は、機能ボタンをＵＩ部品保持部１０２に保持する。また、ＰＣ２０から受領した機能ボタンの識別情報、アクセス情報及び画像形成の設定情報を相互に関連付けて設定テーブル１０３に保持しておく。
【００１４】
アクセス情報は、データの取得先がＷｅｂページの場合、そこに到達するためのＵＲＬ（Universal Resource Locator）であり、中継装置が介在する場合は、その中継装置のＩＰアドレスを含む。Ｗｅｂページが特定のＷｅｂブラウザを通じて閲覧可能なページで、そのＷｅｂブラウザが外部装置（例えばＰＣ２０）にのみ備えられている場合、アクセス情報は、その外部装置を通じてアクセス可能なＵＲＬとなる。Ｗｅｂページを表示するために必要な、ユーザ名とパスワードから成るログイン情報や、Ｗｅｂページのｃｏｏｋｉｅ情報などもアクセス情報に含めてもよい。
【００１５】
本実施形態では、機能ボタンに割り当てる機能として「ＵＲＬ印刷」の例を挙げる。ＵＲＬ印刷とは、データが存在する領域のＵＲＬを参照して当該データを取得し、取得したデータを印刷することをいう。また、ユーザが上記ＵＲＬ印刷を要求することを「ＵＲＬ印刷要求」と呼ぶ。ユーザの要求がＵＲＬ印刷要求であれば、そのことを示す文字列とデータ取得先に到達するためのＵＲＬとをＰＣ２０へ送信し、データ取得を依頼する。このＵＲＬ印刷要求が割り当てられた機能ボタンを、本実施形態では「ＵＲＬ印刷ボタン」と呼ぶ。
【００１６】
通信制御部１０４は、ＦＡＸ−Ｉ／Ｆ１７、無線ＬＡＮ−Ｉ／Ｆ１８、有線ＬＡＮ−Ｉ／Ｆ１９を制御して、ファクシミリ装置、あるいは無線ＬＡＮ又は有線ＬＡＮに接続されている外部装置からデータを取得するデータ取得手段として機能する。例えば上記ＵＲＬ印刷ボタンに関連付けられているアクセス情報を参照してデータを取得する。画像形成部１０５は、取得したデータに対して設定情報に従って画像形成を行う。形成した画像は印刷部１５で印刷される。
【００１７】
図３は、ＰＣ２０に形成される機能ブロック構成図であり、画像形成に関わる部分を例示してある。本実施形態では、ＰＣ２０のＣＰＵ２１がストレージ２６に記憶されたコンピュータプログラムを実行することにより、ＰＣ２０に編集部２０１、ＵＩ部品保持部２０２、設定テーブル２０３、通信制御部２０５、画像処理部２０６の機能を形成する。なお、表示部２４１は操作パネル２４におけるディスプレイであり、表示手段として機能する。操作受付部２４２は操作パネル２４における公知のタッチスクリーンであり、操作受付手段として機能する。例えば、表示中の機能ボタン（ＵＲＬ印刷ボタンなど）に対するユーザの操作を受け付ける。
【００１８】
編集部２０１は、ＵＩ部品保持部２０２に保持されているＵＩ部品を用いて表示部２４１に表示させる操作画面のレイアウト編集等を行う。登録部２０４は、機能画像、例えば上記のＵＲＬ印刷ボタンの登録処理を行う。ＵＲＬ印刷ボタンの登録は、操作パネル２４の表示部２４１及び操作受付部２４２を通じて行う。登録された内容は設定テーブル２０３に保持される。設定テーブル２０３は、例えば後述するインデックステーブル及び対応テーブルで構成される。通信制御部２０５は、無線ＬＡＮ−Ｉ／Ｆを制御して、無線ＬＡＮに接続された外部装置、例えばＭＦＰ１０又はＷｅｂページとの間でデータの受け渡しを行う。Ｗｅｂページの閲覧、Ｗｅｂページからのデータの取得は、Ｗｅｂブラウザを通じて行う。画像処理部２０６は、登録したＵＲＬ印刷ボタン（機能画像）をＭＦＰ１０に伝達して操作パネル１４に表示させる。また、通信制御部２０５を通じて取得したデータに対する画像処理を行う。
【００１９】
次に、登録部２０４における登録処理について具体的に説明する。ここでは、ＵＲＬ印刷ボタンを登録部２０４で登録し、登録したＵＲＬ印刷ボタンの情報をＭＦＰ１０に伝達して操作パネル１４に表示可能にする場合の例を示す。登録処理は、ＰＣ２０の表示部２４１に表示される登録画面を通じて行う。図４は、登録画面の例示図である。図５はＭＦＰ１０の表示部１４１に表示されるホーム画面の例示図である。図６及び図７は設定テーブル２０３の例示図である。図８は登録部２０４が行う登録処理の手順説明図である。
【００２０】
図８を参照すると、登録部２０４は、図４に例示した登録画面４０１を表示させ（Ｓ１１）、Ｗｅｂ名称、ＵＲＬを取得する（Ｓ１２）。また、印刷設定情報を取得する（Ｓ１３）。そして、取得したこれらの情報をもとにＵＲＬ印刷ボタンとして登録する（Ｓ１４）。
図４の例でいえば、ＰＣ２０は、編集部２０１でそのレイアウトを編集した登録画面４０１を表示部２４１に表示させる。編集部２０１は、ＵＲＬ印刷ボタンの名称入力（欄）４０２、ＵＲＬ入力欄４０３、印刷設定時の部数入力欄４０４、Ｎｉｎ１入力欄４０５、登録ボタン４０６を形成する。名称入力欄４０２は、ユーザが任意に設定し、事後に変更が可能なＷｅｂページの識別名称を入力する欄である。図示の例では「天気予報」のＷｅｂページが設定されている。ＵＲＬ入力欄４０３は、ＵＲＬ印刷ボタンの対象ＵＲＬを入力する欄である。図示の例では、天気予報の情報が掲載されたＷｅｂページのＵＲＬが設定されている。部数入力欄４０４は画像形成の設定情報、例えば印刷設定の部数を入力する欄である。Ｎｉｎ１入力欄４０５は、印刷設定の縮小レイアウト指定の欄であり、これも画像形成の設定情報の一つである。設定内容は、ＭＦＰ１０において部数１で１面にＮページ（Ｎは自然数）を印刷する縮小レイアウトが設定される。図示の例では、１面に２ページを印刷することが示されている。なお、各種設定の項目は、部数、縮小レイアウトに限らず、ＭＦＰ１０の設定項目及びＭＦＰ１０のドライバなど外部アプリケーションから指定印刷できる項目は全て対象の範囲とすることができる。登録ボタン４０６は上記各欄４０２〜４０５に入力した値を設定テーブル２０３に登録（記録）する機能が割り当てられた機能ボタンである。
【００２１】
ＭＦＰ１０が起動すると、操作パネル１４にホーム画面が表示される。図５はその例示図である。ホーム画面５０１には各種機能ボタンが表示される。図示の例では、機能ボタンとして、コピーボタン５０２、ファクスボタン５０３、天気予報ボタン５０４、新聞ボタン５０５が表示される。コピーボタン５０２は、画面をＭＦＰ１０の基本機能であるコピー機能の設定画面に移行させるための機能ボタンである。ファクスボタン５０３は、画面を他の基本機能であるファクス機能の設定画面に移行させるための機能ボタンである。天気予報ボタン５０４，新聞ボタン５０５は、それぞれＵＲＬ印刷ボタン登録画面４０１を通じて登録されたＵＲＬ印刷ボタンである。天気予報ボタン５０４が押下されると、ＭＦＰ１０は、当該操作を契機として登録されたＵＲＬによりアクセス可能なＷｅｂページから天気予報の情報を印刷データとして取得する。そして、登録された印刷設定４０４、４０５の内容で印刷部１５に印刷要求を行う。新聞ボタン５０５は、天気予報ボタン５０４と同様、登録された情報をもとにＵＲＬ印刷要求を行う。
【００２２】
図６は、インデックステーブルの例示図である。図示の例では、ＵＲＬ印刷ボタンの配置位置と当該ＵＲＬ印刷ボタンを一意に識別するためのボタン識別子とが関連付けられている。ＵＲＬ印刷ボタンの配置位置はｉｎｄｅｘ（欄）６０１に記述される。ｉｎｄｅｘ６０１の行（又は列）は、一つの画面に配置可能な機能ボタンの数だけ用意される。ボタン識別子（欄）６０２には、ｉｎｄｅｘ６０１に対応する機能ボタンの識別子が記述される。未対応（空白）の場合は「ＢＬＡＮＫ」となっている。
【００２３】
図６の例では「ｉｎｄｅｘ１」に、複写機能が割り当てられた機能ボタンである「コピーボタン」を識別するための「ＣＯＰＹ＿ＢＡＳＩＣ」が対応付けられている。「ＢＡＳＩＣ」は、ＭＦＰ１０が有する基本機能であることを示している。また、「ｉｎｄｅｘ２」にファクシミリ機能が割り当てられている機能ボタンである「ファクスボタン」を識別するための「ＦＡＸ＿ＢＡＳＩＣ」が対応付けられている。また、「ｉｎｄｅｘ３」に「天気予報」のＷｅｂページを識別するための「ＵＲＬ＿ＰＲＩＮＴ＿１」、 「ｉｎｄｅｘ４」に「新聞」のＷｅｂページを識別するための「ＵＲＬ＿ＰＲＩＮＴ＿２」が対応付けられている。「ＵＲＬ＿ＰＲＩＮＴ＿１」及び「ＵＲＬ＿ＰＲＩＮＴ＿２」はＵＲＬ印刷ボタンであることを示すボタン識別子であり、図４の登録画面４０１を通じて登録（記録）されたものである。新規にＵＲＬ印刷ボタンが追加されたときは、「ＢＬＡＮＫ」のうちｉｎｄｅｘ欄６０１の最も小さい行（又は列）の位置に、ＵＲＬ＿ＰＲＩＮＴ＿Ｎ（Ｎは自然数）が新たなボタン識別子として配置される。
【００２４】
図７は、ボタン識別子６０２と関連付けられた対応テーブルの例示図である。図示の例では、図６に示したボタン識別子６０２と同一内容のボタン識別子（欄）７０１、このボタン識別子７０１に対応するボタン名称（欄）７０２、ＵＲＬ（欄）７０３、設定値（欄）７０４が形成されている。この対応テーブルは、図４の登録画面４０１の登録ボタン４０６が押下される際にその内容が更新される。ボタン識別子７０１には、例えばＵＲＬ印刷ボタンに対応したＵＲＬの列などが設定される。
ボタン名称７０２は、図４に示した名称入力欄４０２に対応し、ＵＲＬ７０３はＵＲＬ４０３に対応し、設定値７０４は印刷設定欄４０４、４０５に対応している。例えば、天気予報の情報のＵＲＬ印刷ボタンのレコードの場合、ボタン識別子６０２（７０１）は「ＵＲＬ＿ＰＲＩＮＴ＿１」、ボタン名称７０２は「天気予報」である。ＵＲＬ７０３は「http://www.xxx.co.jp」であり、設定値７０４は「２in１片面」となる。
【００２５】
図９は、図５のホーム画面５０１において、ＵＲＬ印刷ボタン（天気予報５０４，新聞５０５）の押下を契機としてＵＲＬ印刷を行う際の処理手順説明図である。
まず、ユーザにより押下されたホーム画面５０１のボタンの配置位置（ｉｎｄｅｘ６０１）に対応するボタン識別子６０２を取得する（Ｓ２０１）。その後、取得したボタン識別子６０２がＵＲＬ印刷ボタンの識別子か否かを判定する（Ｓ２０２）。ＵＲＬ印刷ボタンの識別子でない場合（Ｓ２０２：Ｎ）、Ｓ２０１に戻る。
【００２６】
Ｓ２０２において、ボタン識別子６０２がＵＲＬ印刷ボタンの識別子と判定された場合（Ｓ２０２：Ｙ）、そのボタン識別子６０２に対応するＵＲＬ５０３により特定されるＷｅｂページの取得要求を行う。この要求は、無線ＬＡＮ−Ｉ／Ｆ１８乃至有線ＬＡＮ−Ｉ／Ｆを介して行う。Ｗｅｂページを取得するまで待機し（Ｓ２０４：Ｎ）、取得を完了した場合（Ｓ２０４：Ｙ）、ボタン識別子６０２に対応する設定値７０４が印刷設定として登録されているか否かを判定する（Ｓ２０５）。設定値７０４が登録されていると判定した場合（Ｓ２０５：Ｙ）、ＵＲＬ印刷ボタンに対応する印刷設定（設定値７０４）での印刷を印刷部１５に指示する。これにより、ユーザによる印刷設定の内容で印刷出力される。
【００２７】
Ｓ２０５において、設定値７０４が登録されていないと判定した場合（Ｓ２０５：Ｎ）、デフォルトの印刷設定での印刷を印刷部１５に指示する。これにより、デフォルトの印刷設定の内容で印刷出力される（Ｓ２０７）。
【００２８】
このように、第１実施形態によれば、Ｗｅｂページを印刷するときの印刷設定の手順が１度のみになるのでユーザビリティが向上するという効果を奏することができる。
【００２９】
［第２実施形態］
第１実施形態では、ＵＲＬ印刷ボタンの登録処理をＰＣ２０側で行う場合の例を説明した。第２実施形態では、ＵＲＬ印刷ボタンの登録処理をＭＦＰ１０側で行う場合の例を説明する。ＭＦＰ１０及びＰＣ２０のハードウエア構成は、第１実施形態の場合と同じである。第２実施形態では、ＰＣ２０が有する登録部２０４の機能ブロックをＭＦＰ１０が備える。すなわち、ＣＰＵ２１がＭＦＰアプリを実行することにより、上記登録部２０４の機能を実現するとともに設定テーブル１０３に代えて、第１実施形態において説明した内容の設定テーブル２０３とする。すなわち、ＭＦＰ１０が通信制御部２０５を通じてＷｅｂページを閲覧し、そのときのＵＲＬを取得して、印刷設定情報と共に、ＵＲＬ印刷ボタンとして、設定テーブルに登録（記録）する。また、登録したＵＲＬ印刷ボタンを表示部１４１に表示する。表示部１４１に表示するときの画面のレイアウトは、主制御部１０１がＵＩ部品保持部１０２に保持されているＵＩ部品を用いて定める。
【００３０】
このように第２実施形態では、ＭＦＰ１０だけでＵＲＬ印刷ボタンを登録することができる。ユーザは、登録されたＵＲＬ印刷ボタンを操作するだけでＷｅｂページから取得したデータの印刷が可能になるので、Ｗｅｂページを印刷するときの印刷設定の手順が１度のみになるのでユーザビリティが向上するという効果を奏することができる。
【００３１】
［変形例］
なお、第２実施形態では、ＭＦＰ１０がＷｅｂページを閲覧してそこからデータを取得することを前提として説明したが、登録する際に、ＰＣ２０のＷｅｂブラウザを介してアクセスする際のＵＲＬを登録するようにしてもよい。この場合、Ｗｅｂページからのデータ取得は、ＰＣ２０がＭＦＰ１０に代わって行い、印刷設定情報に従う印刷だけをＭＦＰ１０が実行することとなる。
【００３２】
本発明は、また、以下の処理を実行することによっても実現される。すなわち、上述した第１及び第２実施形態の機能を実現するソフトウェア（コンピュータプログラム）を、ネットワークまたは各種記憶媒体を介してシステム或いは装置に供給する。そしてそのシステム或いは装置のコンピュータ（またはＣＰＵ）がコンピュータプログラムを読み出して実行する処理である。この場合、そのコンピュータプログラム、および該コンピュータプログラムを記憶した記録媒体は本発明を構成することになる。
【図１】
2017148978.tif 000003
【図２】
2017148978.tif 000004
【図３】
2017148978.tif 000005
【図４】
2017148978.tif 000006
【図５】
2017148978.tif 000007
【図６】
2017148978.tif 000008
【図７】
2017148978.tif 000009
【図８】
2017148978.tif 000010
【図９】
2017148978.tif 000011